(57)【要約】【課題】  本発明は、携帯端末を据置装置に載置することなく、リビング等の部屋に据え付けられた据置装置から音声出力させることができ、使い勝手が良い情報再生システムを提供することを課題とする。【解決手段】  携帯端末１に据置装置３を無線でリモートコントロールするリモート信号生成部１９および発光部２０と、再生したオーディオ信号を据置装置３に無線伝送する無線エンコーダ部２１および無線送信部２２を設けることにより、据置装置３の電源の投入や、選曲および音量調整等の諸操作を据置装置３から離れた位置で行い、携帯端末１で再生されたオーディオ信号をリビング等の部屋に据え付けられた据置装置３から音声出力させる。【選択図】        図１
2005310287.tif 000002
【特許請求の範囲】
【請求項１】
記録媒体に記録された音響情報をオーディオ信号に再生する携帯端末と、当該携帯端末で再生された前記オーディオ信号を音声出力する据置装置とからなる情報再生システムであって、
前記携帯端末は、前記据置装置を無線でリモートコントロールするリモートコントロール手段と、
再生した前記オーディオ信号を前記据置装置に無線伝送する無線伝送手段とを具備することを特徴とする情報再生システム。
【請求項２】
前記携帯端末は、前記リモートコントロール手段による前記据置装置の電源投入に伴って、前記無線伝送手段によって前記オーディオ信号を前記据置装置に無線伝送するリモートモードに切り換えると共に、前記リモートコントロール手段による前記据置装置の電源切断に伴って、前記オーディオ信号を接続されたヘッドフォンから音声出力する携帯モードに切り換えるモード切換手段を具備することを特徴とする請求項１記載の情報再生システム。
【請求項３】
前記モード切換手段は、前記リモートコントロール手段による前記据置装置の電源投入から前記据置装置が安定する予め定められた所定時間後に、前記リモートモードに切り換えることを特徴とする請求項２記載の情報再生システム。
【発明の詳細な説明】
【技術分野】
【０００１】
本発明は、ハードディスク等の記録媒体に記録された音響情報を再生して音声出力する情報再生システムに関し、特に携帯端末で再生されたオーディオ信号をリビング等の部屋に据え付けて使用する据置装置から音声出力する情報再生システムに関する。
【背景技術】
【０００２】
ハードディスク等の記録媒体に記録された音響情報を再生する携帯端末と、キャビネット内にスピーカの他に当該スピーカを駆動するアンプを内蔵させたスピーカ装置等の、リビング等の部屋に据え付けて使用する据置装置とからなる情報再生システムが知られており、当該情報再生システムは、据置装置に携帯端末を載置することによって、据置装置と携帯端末とを接続し、携帯端末で再生したオーディオ信号を携帯端末に接続されたヘッドフォンから音声出力するのではなく、据置装置から音声出力する（例えば、特許文献１参照）。
【０００３】
しかしながら、従来技術では、リビング等の部屋に据え付けられた据置装置から音声出力させるために、携帯端末の据置装置への載置や、据置装置の電源の投入や、選曲および音量調整等の諸操作を、いちいち据置装置の前で行う必要があり、使い勝手が良くないという問題点があった。
【特許文献１】特開平７−１０７５８６号公報
【発明の開示】
【発明が解決しようとする課題】
【０００４】
本発明は斯かる問題点を鑑みてなされたものであり、その目的とするところは、携帯端末を据置装置に載置することなく、据置装置の電源の投入や、選曲および音量調整等の諸操作を据置装置から離れた位置で行うことで、リビング等の部屋に据え付けられた据置装置から音声出力させることができ、使い勝手が良い情報再生システムを提供する点にある。
【課題を解決するための手段】
【０００５】
本発明は上記課題を解決すべく、以下に掲げる構成とした。
本発明の情報再生システムは、記録媒体に記録された音響情報をオーディオ信号に再生する携帯端末と、当該携帯端末で再生された前記オーディオ信号を音声出力する据置装置とからなる情報再生システムであって、前記携帯端末は、前記据置装置を無線でリモートコントロールするリモートコントロール手段と、再生した前記オーディオ信号を前記据置装置に無線伝送する無線伝送手段とを具備することを特徴とする。
【０００６】
さらに、本発明の情報再生システムは、前記携帯端末は、前記リモートコントロール手段による前記据置装置の電源投入に伴って、前記無線伝送手段によって前記オーディオ信号を前記据置装置に無線伝送するリモートモードに切り換えると共に、前記リモートコントロール手段による前記据置装置の電源切断に伴って、前記オーディオ信号を接続されたヘッドフォンから音声出力する携帯モードに切り換えるモード切換手段を具備することを特徴とする。
【０００７】
さらに、本発明の情報再生システムは、前記モード切換手段は、前記リモートコントロール手段による前記据置装置の電源投入から前記据置装置が安定する予め定められた所定時間後に、前記リモートモードに切り換えることを特徴とする。
【発明の効果】
【０００８】
本発明の情報再生システムは、携帯端末に据置装置を無線でリモートコントロールする機能と、再生したオーディオ信号を据置装置に無線伝送する機能とを設けることにより、携帯端末を据置装置に載置することなく、据置装置の電源の投入や、選曲および音量調整等の諸操作を据置装置から離れた位置で行うことで、携帯端末で再生されたオーディオ信号をリビング等の部屋に据え付けられた据置装置から音声出力させることができるという効果を奏する。
【０００９】
さらに、本発明の情報再生システムは、携帯端末のリモートコントロール機能による据置装置の電源投入に伴って、再生したオーディオ信号を据置装置に無線伝送するリモートモードに携帯端末を切り換えると共に、携帯端末のリモートコントロール機能による据置装置の電源切断に伴って、再生したオーディオ信号を接続されたヘッドフォンから音声出力する携帯モードに携帯端末を切り換えるように構成することにより、携帯端末で再生されたオーディオ信号をリビング等の部屋に据え付けられた据置装置から音声出力させる際の操作手順を簡略化することができ、操作性を向上させることができるという効果を奏する。
【発明を実施するための最良の形態】
【００１０】
以下、本発明の実施の形態を図面に基づいて詳細に説明する。
【００１１】
図１は、本発明に係る情報再生システムの実施の形態の構成を示すブロック図であり、図２は、図１に示す携帯端末の外観構成を示す正面図および上側面図である。
【００１２】
本実施の形態の情報再生システムは、記録媒体であるハードディスクに記録された音響情報を再生して音声出力するシステムであり、図１を参照すると、ユーザが携帯可能な携帯端末１と、リビング等の部屋に据え付けて使用する据置装置３からなり、携帯端末１からの音声出力と、据置装置３からの音声出力とを選択に行うことができる構成になっている。
【００１３】
携帯端末１は、図１および図２を参照すると、携帯端末１全体を制御する携帯側制御部１１と、ＨＤＤ録再部１２と、携帯側アンプ部１３と、ヘッドフォン端子１４と、入力端子１５と、操作部１６と、表示部１７と、リモートキー１８と、リモート信号生成部１９と、発光部２０と、無線エンコーダ部２１と、無線送信部２２とからなる。
【００１４】
ＨＤＤ録再部１２は、携帯側制御部１１の制御下にあり、入力端子１５から入力された音響情報をハードディスクに記録すると共に、ハードディスクに記録された音響情報を読み出して、復調処理、符号誤り訂正処理およびＤ／Ａ変換処理を行ってオーディオ信号を生成し、生成したオーディオ信号を携帯側アンプ部１３もしくは無線エンコーダ部２１のいずれかに出力する。
【００１５】
携帯側アンプ部１３は、携帯側制御部１１の制御下にあり、ＨＤＤ録再部１２から入力されたオーディオ信号を増幅し、増幅したオーディオ信号をヘッドフォン端子１４に接続された図示しないヘッドフォンから音声出力する。
【００１６】
操作部１６と、表示部１７と、リモートキー１８とは、図２に示すように、携帯端末１の前面に配置されており、操作部１６は、入力メニューの切換を指示するメニューキー１６１と、入力端子１５から入力された音響情報のハードディスクへの記録を指示する録音キー１６２と、再生動作を指示する再生動作指示キー１６３と、出力する音量レベルを指示する音量調整キー１６４とからなる。
【００１７】
リモート信号生成部１９および発光部２０は、据置装置３を無線でリモートコントロールするリモートコントロール手段であり、リモート信号生成部１９は、携帯側制御部１１の指示に基づいて、据置装置３の電源の投入を指示するリモート信号（以下、電源ＯＮ信号と称す）、据置装置３の電源の切断を指示するリモート信号（以下、電源ＯＦＦ信号と称す）および音量調整等の音声の出力に関するリモート信号（以下、出力制御信号と称す）を生成し、生成したリモート信号を発光部２０に出力する。発光部２０は、赤外発光ダイオード等の発光素子を明滅することによって、リモート信号生成部１９から入力されたリモート信号をリモート信号光に変調し、変調したリモート信号光を据置装置３に送信する。
【００１８】
無線エンコーダ部２１および無線送信部２２は、ＨＤＤ録再部１２で再生されたオーディオ信号を据置装置３に無線伝送する無線伝送手段であり、無線エンコーダ部２１は、ＨＤＤ録再部１２から入力されたオーディオ信号により搬送波信号を変調し、無線送信部２２は、無線エンコーダ部２１によって変調された搬送波信号を増幅して据置装置３に向けて無線伝送する。
【００１９】
据置装置３は、図１を参照すると、受光部３１と、リモート信号受信部３２と、据置装置３の電源のＯＮ／ＯＦＦを制御する電源制御部３３と、据置装置３全体を制御する据置側制御部３４と、無線受信部３５と、無線デコーダ部３６と、据置側アンプ部３７と、スピーカ３８とからなる。
【００２０】
受光部３１は、携帯端末１から受信されたリモート信号光をリモート信号に復調し、復調したリモート信号をリモート信号受信部３２に出力する。
【００２１】
リモート信号受信部３２は、受光部３１から入力されたリモート信号が電源ＯＮ信号もしくは電源ＯＦＦ信号である場合には、電源制御部３３に出力し、変換したリモート信号が出力制御信号である場合には、据置側制御部３４に出力する。
【００２２】
無線受信部３５は、携帯端末１からの搬送波信号を受信し、無線デコーダ部３６は、無線受信部３５によって受信された搬送波信号をオーディオ信号に復調して、復調したオーディオ信号を据置側アンプ部３７に出力する。
【００２３】
据置側アンプ部３７は、据置側制御部３４の制御下にあり、無線デコーダ部３６から入力されたオーディオ信号を増幅し、増幅したオーディオ信号をスピーカ３８から音声出力する。
【００２４】
次に、本実施の形態の動作について図３を参照して詳細に説明する。
図３は、図１に示す携帯端末の動作を説明するためのフローチャートである。
【００２５】
ユーザによってリモートキー１８が押下されると（ステップＡ１）、携帯側制御部１１は、設定されているモードが携帯モードであるか、リモートモードであるかを判別する（ステップＡ２）。
【００２６】
携帯モードとは、ヘッドフォン端子１４に接続された図示しないヘッドフォンから音声出力するモードであり、携帯側制御部１１は、操作部１６からの選曲等の音響情報の再生に関する入力に基づいて、ＨＤＤ録再部１２を制御すると共に、操作部１６からの音量調整等の音声の出力に関する入力に基づいて、携帯側アンプ部１３を制御して、ヘッドフォン端子１４に接続された図示しないヘッドフォンから音声出力させる。
【００２７】
リモートモードとは、据置装置３から音声出力とするモードであり、携帯側制御部１１は、操作部１６からの選曲等の音響情報の再生に関する入力に基づいて、ＨＤＤ録再部１２を制御すると共に、ＨＤＤ録再部１２からのオーディオ信号の出力先を携帯側アンプ部１３から無線エンコーダ部２１に切り換え、無線エンコーダ部２１および無線送信部２２によってオーディオ信号を据置装置３に向けて無線伝送させる。据置装置３の無線受信部３５は、携帯端末１からの搬送波信号を受信し、無線デコーダ部３６は、無線受信部３５によって受信された搬送波信号をオーディオ信号に復調して、復調したオーディオ信号を据置側アンプ部３７に出力し、据置側アンプ部３７は、据置側制御部３４の制御下にあり、無線デコーダ部３６から入力されたオーディオ信号を増幅し、増幅したオーディオ信号をスピーカ３８から音声出力する。
【００２８】
また、リモートモードでは、携帯側制御部１１は、操作部１６からの音量調整等の音声の出力に関する入力に基づいて、リモート信号生成部１９に出力制御信号の生成を指示し、リモート信号生成部１９は、出力制御信号を生成し、発光部２０は、リモート信号生成部１９によって生成された出力制御信号をリモート信号光に変調して据置装置３の受光部３１に送信する。据置装置３の受光部３１は、受信したリモート信号光を出力制御信号に復調してリモート信号受信部３２に出力し、リモート信号受信部３２は、受光部３１から入力された出力制御信号を据置側制御部３４に出力し、据置側制御部３４は、出力制御信号に基づいて据置側アンプ部３７を制御する。
【００２９】
ステップＡ２で設定されているモードが携帯モードであると判別した場合には、携帯側制御部１１は、リモート信号生成部１９に電源ＯＮ信号の生成を指示し、リモート信号生成部１９は、電源ＯＮ信号を生成し、発光部２０は、リモート信号生成部１９によって生成された電源ＯＮ信号をリモート信号光に変調して据置装置３の受光部３１に送信する（ステップＡ３）。据置装置３の受光部３１は、受信したリモート信号光を電源ＯＮ信号に復調してリモート信号受信部３２に出力し、リモート信号受信部３２は、受光部３１から入力された電源ＯＮ信号を電源制御部３３に出力し、電源制御部３３は、電源ＯＮ信号が入力されると据置装置３の電源を投入する。
【００３０】
携帯側制御部１１は、リモート信号生成部１９に電源ＯＮ信号の生成を指示した後、予め定められた所定時間の経過をカウントしており（ステップＡ４）、予め定められた所定時間が経過すると、モードを携帯モードからリモートモードに切り換える（ステップＡ５）。なお、ステップＡ４でカウントされる予め定められた所定時間は、電源投入後、据置装置３が安定するまでの時間以上に設定されており、従って、リモートモードに切り換えられた時には、すでに据置装置３が安定している状態になっている。
【００３１】
ステップＡ２で設定されているモードがリモートモードであると判別した場合には、携帯側制御部１１は、モードをリモートモードから携帯モードに切り換えると共に（ステップＡ６）、リモート信号生成部１９に電源ＯＦＦ信号の生成を指示し、リモート信号生成部１９は、電源ＯＦＦ信号を生成し、発光部２０は、リモート信号生成部１９によって生成された電源ＯＦＦ信号をリモート信号光に変調して据置装置３の受光部３１に送信する（ステップＡ７）。据置装置３の受光部３１は、受信したリモート信号光を電源ＯＦＦ信号に復調してリモート信号受信部３２に出力し、リモート信号受信部３２は、受光部３１から入力された電源ＯＦＦ信号を電源制御部３３に出力し、電源制御部３３は、電源ＯＦＦ信号が入力されると据置装置３の電源を切断する。
【００３２】
以上説明したように、本実施の形態によれば、携帯端末１に据置装置３を無線でリモートコントロールする機能と、再生したオーディオ信号を据置装置３に無線伝送する機能とを設けることにより、携帯端末１を据置装置３に載置することなく、据置装置３の電源の投入や、選曲および音量調整等の諸操作を据置装置３から離れた位置で行うことで、携帯端末１で再生されたオーディオ信号をリビング等の部屋に据え付けられた据置装置３から音声出力させることができるという効果を奏する。
【００３３】
さらに、本実施の形態によれば、携帯端末１のリモートコントロール機能による据置装置３の電源投入に伴って、再生したオーディオ信号を据置装置３に無線伝送するリモートモードに携帯端末１を切り換えると共に、携帯端末１のリモートコントロール機能による据置装置３の電源切断に伴って、再生したオーディオ信号を接続されたヘッドフォンから音声出力する携帯モードに携帯端末１を切り換えるように構成することにより、携帯端末１で再生されたオーディオ信号をリビング等の部屋に据え付けられた据置装置３から音声出力させる際の操作手順を簡略化することができ、操作性を向上させることができるという効果を奏する。
【００３４】
なお、本実施の形態では、リモート信号の送信と、オーディオ信号の送信とを異なる無線伝送方式で行うように構成したが、リモート信号の送信と、オーディオ信号の送信とを同一の無線伝送方式（２．４ＧＨｚ帯域を用いる無線伝送方式であるＢｌｕｅｔｏｏｔｈ等）で行うようにしても良い。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３６】
【図１】本発明に係る情報再生システムの実施の形態の構成を示すブロック図である。
【図２】図１に示す携帯端末の外観構成を示す正面図および上側面図である。
【図３】図１に示す携帯端末の動作を説明するためのフローチャートである。
【符号の説明】
【００３７】
１  携帯端末
３  据置装置
１１  携帯側制御部（モード切換手段）
１２  ＨＤＤ録再部
１３  携帯側アンプ部
１４  ヘッドフォン端子
１５  入力端子
１６  操作部
１７  表示部
１８  リモートキー
１９  リモート信号生成部
２０  発光部
２１  無線エンコーダ部
２２  無線送信部
３１  受光部
３２  リモート信号受信部
３３  電源制御部
３４  据置側制御部
３５  無線受信部
３６  無線デコーダ部
３７  据置側アンプ部
３８  スピーカ
１６１  メニューキー
１６２  録音キー
１６３  再生動作指示キー
１６４  音量調整キー
【図１】
2005310287.tif 000003
【図２】
2005310287.tif 000004
【図３】
2005310287.tif 000005